【手続補正書】
【提出日】平成27年9月17日(2015.9.17)
【手続補正１】
【補正対象書類名】明細書
【補正対象項目名】発明の名称
【補正方法】変更
【補正の内容】
【発明の名称】接眼光学系、光学機器
【手続補正２】
【補正対象書類名】特許請求の範囲
【補正対象項目名】全文
【補正方法】変更
【補正の内容】
【特許請求の範囲】
【請求項１】
光軸に沿って観察物体側から順に並んだ、
正の屈折力を有する第１レンズと、
負の屈折力を有し、観察物体側のレンズ面が凹面形状である第２レンズと、
正の屈折力を有し、アイポイント側のレンズ面が凸面形状である第３レンズとを有し、
前記第１レンズ、前記第２レンズ及び前記第３レンズを構成するレンズ面のうち、少なくとも１つのレンズ面が非球面であり、
以下の条件式を満足することを特徴とする接眼光学系。
０．４０  ＜  ｆ３／ｆ１  ＜  ２．５０
−２．００  ＜  （Ｒ１２＋Ｒ１１）／（Ｒ１２−Ｒ１１）  ＜  −０．７５
１．３５  ＜  （Ｒ２２＋Ｒ２１）／（Ｒ２２−Ｒ２１）  ＜    ２．４０
但し、
ｆ１：前記第１レンズの焦点距離、
ｆ３：前記第３レンズの焦点距離、
Ｒ１１：前記第１レンズの観察物体側のレンズ面の曲率半径、
Ｒ１２：前記第１レンズのアイポイント側のレンズ面の曲率半径、
Ｒ２１：前記第２レンズの観察物体側のレンズ面の曲率半径、
Ｒ２２：前記第２レンズのアイポイント側のレンズ面の曲率半径。
【請求項２】
前記観察物体は、画像表示素子であることを特徴とする請求項１に記載の接眼光学系。
【請求項３】
前記画像表示素子は、液晶表示素子であることを特徴とする請求項２に記載の接眼光学系。
【請求項４】
以下の条件式を満足することを特徴とする請求項１〜３のいずれか一項に記載の接眼光学系。
１．６０  ＜  ｆｅ／（−ｆ２）  ＜  ２．２０
但し、
ｆｅ：前記接眼光学系の焦点距離、
ｆ２：前記第２レンズの焦点距離。
【請求項５】
以下の条件式を満足することを特徴とする請求項１〜４のいずれか一項に記載の接眼光学系。
０．６０  ＜  ｆｅ／ｆ１  ＜  ２．００
但し、
ｆｅ：前記接眼光学系の焦点距離。
【請求項６】
前記第１レンズ、前記第２レンズ及び前記第３レンズは全てプラスチック製であることを特徴とする請求項１〜５のいずれか一項に記載の接眼光学系。
【請求項７】
前記第２レンズは、観察物体側のレンズ面が非球面であることを特徴とする請求項１〜６のいずれか一項に記載の接眼光学系。
【請求項８】
前記第３レンズは、アイポイント側のレンズ面が非球面であることを特徴とする請求項１〜７のいずれか一項に記載の接眼光学系。
【請求項９】
前記第１レンズと前記第２レンズを光軸に沿って移動させることにより、視度調整を行うことを特徴とする請求項１〜８のいずれか一項に記載の接眼光学系。
【請求項１０】
前記第３レンズは、視度調整の際に、前記観察物体に対して光軸上に固定されていることを特徴とする請求項１〜９のいずれか一項に記載の接眼光学系。
【請求項１１】
対物レンズと、前記対物レンズにより形成された像を撮像する撮像素子と、前記撮像素子に撮像された前記像を表示する画像表示素子と、前記画像表示素子に表示された前記像を観察するための接眼光学系とを備え、
前記接眼光学系が請求項１〜１０のいずれか一項に記載の接眼光学系であることを特徴とする光学機器。
【手続補正３】
【補正対象書類名】明細書
【補正対象項目名】０００５
【補正方法】変更
【補正の内容】
【０００５】
本発明は、このような問題に鑑みてなされたものであり、諸収差、特にコマ収差と歪曲収差が良好に補正された接眼光学系、及びこれを備えた光学機器を提供することを目的とする。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
本発明によれば、諸収差、特にコマ収差と歪曲収差が良好に補正された接眼光学系、及びこれを備えた光学機器を提供することができる。
【手続補正６】
【補正対象書類名】明細書
【補正対象項目名】００８０
【補正方法】変更
【補正の内容】
【００８０】
（表１）
［全体諸元］
ｆｅ  ＝  24.18mm
ω    ＝  26.94°
ＴＬ  ＝  27.22mm
［レンズ諸元］
面番号         ｒ          Ｄ        νｄ        ｎｄ
1            ∞         9.22
2        -68.07911      3.60      56.27      1.5346
3        -10.95401      3.10
*4         -6.25153      2.20      23.89      1.6355
5        -28.62799      2.10
*6         18.96709      7.00      57.08      1.4911
*7        -11.76754     18.00
ＥＰ
［非球面データ］
第４面    κ＝ 0.18240，A4＝-0.15131E-03，A6＝-0.10572E-05，A8＝ 0.30732E-08
第６面    κ＝-0.49180，A4＝-0.11043E-03，A6＝ 0.25830E-05，A8＝-0.24330E-07
第７面    κ＝ 0.92810，A4＝ 0.84917E-04，A6＝ 0.14380E-05，A8＝-0.11146E-07
［条件式］
条件式（１）  ｆ３／ｆ１  ＝  0.671
条件式（２）  （Ｒ１２＋Ｒ１１）／（Ｒ１２−Ｒ１１）  ＝  -1.382
条件式（３）  （Ｒ２２＋Ｒ２１）／（Ｒ２２−Ｒ２１）  ＝  1.559
条件式（４）  ｆｅ／（−ｆ２）  ＝  1.848
条件式（５）  ｆｅ／ｆ１  ＝  1.015
【手続補正７】
【補正対象書類名】明細書
【補正対象項目名】００９２
【補正方法】変更
【補正の内容】
【００９２】
（表２）
［全体諸元］
ｆｅ  ＝  24.40mm
ω    ＝  26.94°
ＴＬ  ＝  27.59mm
［レンズ諸元］
面番号         ｒ          Ｄ        νｄ        ｎｄ
1            ∞         9.24
2        -94.80035      2.65      57.27      1.5346
3        -11.21210      4.30
*4         -5.75284      2.70      23.89      1.6355
5        -21.43005      1.70
*6         18.02172      7.00      57.08      1.4911
*7        -12.24699     18.00
ＥＰ
［非球面データ］
第４面    κ＝ 0.20773，A4＝-0.68843E-04，A6＝-0.14503E-06，A8＝ 0.35447E-07
第６面    κ＝-0.15745，A4＝-0.81806E-04，A6＝ 0.30864E-06，A8＝-0.13999E-07
第７面    κ＝ 0.02013，A4＝ 0.85438E-04，A6＝-0.11291E-05，A8＝-0.21903E-07
［条件式］
条件式（１）  ｆ３／ｆ１  ＝  0.683
条件式（２）  （Ｒ１２＋Ｒ１１）／（Ｒ１２−Ｒ１１）  ＝  -1.268
条件式（３）  （Ｒ２２＋Ｒ２１）／（Ｒ２２−Ｒ２１）  ＝  1.734
条件式（４）  ｆｅ／（−ｆ２）  ＝  1.840
条件式（５）  ｆｅ／ｆ１  ＝  1.037
【手続補正８】
【補正対象書類名】明細書
【補正対象項目名】０１０１
【補正方法】変更
【補正の内容】
【０１０１】
（表３）
［全体諸元］
ｆｅ  ＝  24.33mm
ω    ＝  26.94°
ＴＬ  ＝  27.94mm
［レンズ諸元］
面番号         ｒ          Ｄ        νｄ        ｎｄ
1            ∞         9.29
2       -586.95141      3.90      56.27      1.5346
3        -11.56718      4.00
*4         -5.81721      2.80      23.89      1.6355
5        -20.00000      1.95
*6         22.86389      6.00      57.08      1.4911
*7        -12.09967     18.00
ＥＰ
［非球面データ］
第４面    κ＝0.03802，A4＝-0.21670E-03，A6＝ 0.99368E-06，A8＝-0.41222E-07
第６面    κ＝1.29364，A4＝-0.60351E-04，A6＝-0.78459E-06，A8＝ 0.17247E-07
第７面    κ＝0.24623，A4＝ 0.85196E-04，A6＝-0.11324E-05，A8＝ 0.16074E-07
［条件式］
条件式（１）  ｆ３／ｆ１  ＝  0.776
条件式（２）  （Ｒ１２＋Ｒ１１）／（Ｒ１２−Ｒ１１）  ＝  -1.040
条件式（３）  （Ｒ２２＋Ｒ２１）／（Ｒ２２−Ｒ２１）  ＝  1.820
条件式（４）  ｆｅ／（−ｆ２）  ＝  1.740
条件式（５）  ｆｅ／ｆ１  ＝  1.105
【手続補正９】
【補正対象書類名】明細書
【補正対象項目名】０１１１
【補正方法】変更
【補正の内容】
【０１１１】
（表４）
［全体諸元］
ｆｅ  ＝  24.36mm
ω    ＝  26.94°
ＴＬ  ＝  28.54mm
［レンズ諸元］
面番号         ｒ          Ｄ        νｄ        ｎｄ
1            ∞         9.14
2       -991.21127      4.20      56.21      1.5244
3        -10.77978      3.30
*4         -5.64800      1.80      23.89      1.6355
5        -20.00000      1.90
6         68.73187      4.20      56.21      1.5244
*7        -14.36226      0.80
8        -38.01281      3.20      57.08      1.4911
9        -15.33151     18.00
ＥＰ
［非球面データ］
第４面    κ＝0.31951，A4＝-0.86593E-04，A6＝0.17091E-05，A8＝-0.14183E-07
第７面    κ＝0.03346，A4＝ 0.82458E-04，A6＝0.17787E-06，A8＝ 0.00000E+00
［条件式］
条件式（１）  ｆ３／ｆ１  ＝  1.111
条件式（２）  （Ｒ１２＋Ｒ１１）／（Ｒ１２−Ｒ１１）  ＝  -1.022
条件式（３）  （Ｒ２２＋Ｒ２１）／（Ｒ２２−Ｒ２１）  ＝  1.787
条件式（４）  ｆｅ／（−ｆ２）  ＝  1.871
条件式（５）  ｆｅ／ｆ１  ＝  1.174